(57)【要約】【課題】画像処理装置の更なるユーザ操作の簡略化を図ることを課題とする。【解決手段】カードリーダ２２を備えたスキャナ１０において、スキャン処理を実行する際に必要な設定情報と、カードの製造番号とが関連付けられて記憶されている。そして、カードリーダによってカードの製造番号が読み取られた場合に、読み取られた製造番号と関連付けて記憶されているスキャン処理が実行される。つまり、ショートカットボタンの操作、検索等を行うことなく、カードをカードリーダによって読み取るだけで、所定の処理を実行することが可能となる。これにより、更なるユーザ操作の簡略化を図ることが可能となる。【選択図】図１
2018186517.tif 000002
【特許請求の範囲】
【請求項１】
スキャン処理と印刷処理との少なくとも一方を実行する画像処理装置であって、
前記画像処理装置は、
記録媒体に記録された識別情報を、前記記録媒体から読み取る読取部と、
スキャン処理及び印刷処理のいずれかの処理と、当該いずれかの処理を実行する際に必要な設定情報と、前記識別情報とを関連付けて記憶する記憶部と、
制御部と、
を備え、
前記制御部は、
前記読取部により前記識別情報を前記記録媒体から読み取る第１読取手段と、
前記第１読取手段によって読み取られた前記識別情報と関連付けて前記記憶部に記憶されている処理を、当該識別情報と関連付けて前記記憶部に記憶されている前記設定情報に従って実行する第１処理実行手段と、
を有することを特徴とする画像処理装置。
【請求項２】
前記画像処理装置は、
ユーザ操作に応じた信号を出力する操作部と、
表示部と、
を備え、
前記制御部は、
前記識別情報と関連づけて前記記憶部に記憶されているスキャン処理及び印刷処理のいずれかの処理と前記設定情報と、に関連付けられたアイコンを前記表示部に表示させる第１表示手段と、
前記第１表示手段によって表示されたアイコンの選択を、前記操作部が出力した信号が示す場合に、当該アイコンに関連付けられている処理を、当該アイコンに関連付けられている前記設定情報に従って実行する第２処理実行手段と、
を有することを特徴とする請求項１に記載の画像処理装置。
【請求項３】
前記設定情報は、
前記第１表示手段によって表示されたアイコンの選択を示す信号を、前記操作部が出力したことに応じて、当該アイコンに関連づけられている処理を実行すること、及び前記第１表示手段によって表示されたアイコンの選択を示す信号を、前記操作部が出力した後に、当該アイコンに関連づけられている処理の確定を示す信号を前記操作部が出力したことに応じて、前記操作部が出力した信号が示すアイコンに関連づけられた処理を実行することのいずれかを特定するための情報を、含むことを特徴とする請求項２に記載の画像処理装置。
【請求項４】
前記画像処理装置は、
ユーザ操作に応じた信号を出力する操作部を備え、
前記設定情報は、
前記第１読取手段によって前記識別情報が読み取られたことに応じて、前記識別情報と関連付けて前記記憶部に記憶されている処理を実行すること、及び前記第１読取手段によって前記識別情報が読み取られた後に、当該識別情報に関連付けられている処理の確定を示す信号を前記操作部が出力したことに応じて、前記第１読取手段によって読み取られた前記識別情報に関連付けられた処理を実行することのいずれかを特定するための情報を、含むことを特徴とする請求項１乃至３の何れか１項に記載の画像処理装置。
【請求項５】
前記画像処理装置は、
スキャン処理を実行し、
スキャン処理の対象となる原稿を載置するための載置部と、
表示部と、
を備え、
前記制御部は、
前記第１読取手段によって前記識別情報が読み取られた場合に、当該識別情報に関連付けて記憶されている処理がスキャン処理であるときに、前記載置部に原稿が載置されているか否かを判断する第１判断手段と、
前記第１判断手段によって前記載置部に原稿が載置されていないと判断された場合に、スキャン処理を実行する旨、及び前記第１読取手段によって読み取られた前記識別情報と関連付けて前記記憶部に記憶されている前記設定情報を前記表示部に表示させる第２表示手段と、
を有し、
前記第１処理実行手段は、
前記第１判断手段によって前記載置部に原稿が載置されていると判断された場合に、前記第１読取手段によって読み取られた前記識別情報と関連付けて前記記憶部に記憶されている前記設定情報に従って、スキャン処理を実行し、
前記第１判断手段によって前記載置部に原稿が載置されていないと判断された場合に、前記第２表示手段によって前記設定情報が前記表示部に表示された後に、前記第１判断手段によって前記載置部に原稿が載置されていると判断されたことに応じて、当該設定情報に従って、スキャン処理を実行することを特徴とする請求項１乃至４の何れか１項に記載の画像処理装置。
【請求項６】
前記画像処理装置は、
前記載置部に原稿が載置されているか否かを検出するためのセンサを備え、
前記第１判断手段は、
前記センサの検出値に基づいて、前記載置部に原稿が載置されているか否かを判断することを特徴とする請求項５に記載の画像処理装置。
【請求項７】
前記画像処理装置は、
印刷処理を実行し、
記録用紙を載置する手差しトレイと、
表示部と、
を備え、
前記制御部は、
前記第１読取手段によって前記識別情報が読み取られた場合に、前記識別情報と関連づけて記憶されている処理が印刷処理であり、かつ、前記識別情報と関連づけられて記憶されている設定情報が、前記手差しトレイに載置された記録用紙を用いることを示すときに、前記手差しトレイに記録用紙が載置されているか否かを判断する第１判断手段と、
前記第１判断手段によって前記手差しトレイに記録用紙が載置されていないと判断された場合に、印刷処理を実行する旨、及び前記第１読取手段によって読み取られた前記識別情報と関連付けて前記記憶部に記憶されている前記設定情報を前記表示部に表示させる第２表示手段と、
を有し、
前記第１画像処理手段は、
前記第１判断手段によって前記手差しトレイに記録用紙が載置されていると判断された場合に、前記第１読取手段によって読み取られた前記識別情報と関連付けて前記記憶部に記憶されている前記設定情報に従って、印刷処理を実行し、
前記第１判断手段によって前記手差しトレイに記録用紙が載置されていないと判断された場合に、前記第２表示手段によって前記設定情報が前記表示部に表示された後に、前記第１判断手段によって前記手差しトレイに記録用紙が載置されていると判断されたことに応じて、当該設定情報に従って、印刷処理を実行することを特徴とする請求項１乃至４の何れか１項に記載の画像処理装置。
【請求項８】
前記制御部は、
前記第１読取手段によって読み取られた前記識別情報と、スキャン処理及び印刷処理のいずれかの処理と、当該いずれかの処理を実行する際に必要な設定情報とを関連付けて前記記憶部に記憶させる第１記憶手段を有することを特徴とする請求項１乃至７の何れか１項に記載の画像処理装置。
【請求項９】
前記画像処理装置は、
前記記録媒体に前記識別情報を書き込む書込部を備え、
前記制御部は、
前記書込部により前記識別情報を前記記録媒体に書き込む書込手段と、
前記書込手段によって書き込まれた前記識別情報と、スキャン処理及び印刷処理のいずれかの処理と、当該いずれかの処理を実行する際に必要な識別情報とを関連付けて前記記憶部に記憶させる第２記憶手段と、
を有することを特徴とする請求項１乃至７の何れか１項に記載の画像処理装置。
【請求項１０】
スキャン処理を実行する画像処理装置であって、
前記画像処理装置は、
記録媒体に記録されたスキャン処理の実行に関する指令情報を、前記記録媒体から読み取る読取部と、
スキャン処理の対象となる原稿を載置するための載置部と、
表示部と、
制御部と、
を備え、
前記制御部は、
前記読取部により前記指令情報を前記記録媒体から読み取る第２読取手段と、
前記第２読取手段によって前記指令情報が読み取られた場合に、前記載置部に原稿が載置されているか否かを判断する第２判断手段と、
前記第２判断手段によって前記載置部に原稿が載置されていないと判断された場合に、前記第２読取手段によって読み取られた前記指令情報を前記表示部に表示させる第３表示手段と、
前記第２判断手段によって前記載置部に原稿が載置されていると判断された場合に、前記第２読取手段によって読み取られた前記指令情報に従って、スキャン処理を実行し、前記第２判断手段によって前記載置部に原稿が載置されていないと判断された場合に、前記第３表示手段によって前記指令情報が前記表示部に表示された後に、前記第２判断手段によって前記載置部に原稿が載置されていると判断されたことに応じて、当該指令情報に従ってスキャン処理を実行する第３処理実行手段と、
を有することを特徴とする画像処理装置。
【請求項１１】
前記読取部は、
前記記録媒体の接触、又は、接近したことに応じて、前記記録媒体に記録された識別情報を近接無線通信により読み取ることを特徴とする請求項１乃至１０の何れか１項に記載の画像処理装置。
【請求項１２】
スキャン処理と印刷処理との少なくとも一方を実行する画像処理装置のコンピュータが読み取り可能な制御プログラムであって、
前記画像処理装置は、
記録媒体に記録された識別情報を前記記録媒体から読み取る読取部と、スキャン処理及び印刷処理のいずれかの処理と、当該いずれかの処理を実行する際に必要な設定情報と、前記識別情報とを関連付けて記憶する記憶部とを備え、
前記コンピュータを、
前記読取部により前記識別情報を前記記録媒体から読み取る第１読取手段と、
前記第１読取手段によって読み取られた前記識別情報と関連付けて前記記憶部に記憶されている処理を、当該識別情報と関連付けて前記記憶部に記憶されている前記設定情報に従って実行する第１処理実行手段と、
して機能させることを特徴とする制御プログラム。
【請求項１３】
スキャン処理を実行する画像処理装置のコンピュータが読み取り可能な制御プログラムであって、
前記画像処理装置は、
記録媒体に記録されたスキャン処理の実行に関する指令情報を前記記録媒体から読み取る読取部と、スキャン処理の対象となる原稿を載置するための載置部と、表示部とを備え、
前記コンピュータを、
前記読取部により前記指令情報を前記記録媒体から読み取る第２読取手段と、
前記第２読取手段によって前記指令情報が読み取られた場合に、前記載置部に原稿が載置されているか否かを判断する第２判断手段と、
前記第２判断手段によって前記載置部に原稿が載置されていないと判断された場合に、前記第２読取手段によって読み取られた前記指令情報を前記表示部に表示させる第３表示手段と、
前記第２判断手段によって前記載置部に原稿が載置されていると判断された場合に、前記第２読取手段によって読み取られた前記指令情報に従って、スキャン処理を実行し、前記第２判断手段によって前記載置部に原稿が載置されていないと判断された場合に、前記第３表示手段によって前記指令情報が前記表示部に表示された後に、前記第２判断手段によって前記載置部に原稿が載置されていると判断されたことに応じて、当該指令情報に従ってスキャン処理を実行する第３処理実行手段と、
して機能させることを特徴とする制御プログラム。
【発明の詳細な説明】
【技術分野】
【０００１】
本発明は、スキャン処理と印刷処理との少なくとも一方を実行する画像処理装置等に関する。
【背景技術】
【０００２】
スキャナ等の装置では、ショートカット機能を利用することで、ユーザ操作を簡略化することが可能である。ショートカット機能とは、ショートカットボタン等に、対象となる処理と、その処理を実行する際に必要な設定情報とが関連付けられており、ショートカットボタン等の選択操作により、対象となる処理を設定情報に従って実行するための機能である。下記特許文献には、ショートカット機能を有する装置の一例が記載されている。
【先行技術文献】
【特許文献】
【０００３】
【特許文献１】特開２００８−２２１８３号公報
【発明の概要】
【発明が解決しようとする課題】
【０００４】
上記特許文献に記載されているように、ショートカット機能の利用によりユーザ操作を簡略化することが可能となる。しかしながら、ショートカットボタンの操作、検索等を煩わしいと感じるユーザも存在し、更なるユーザ操作の簡略化が望まれる。本発明は、そのような事情に鑑みてなされたものであり、本発明の課題は、画像処理装置の更なるユーザ操作の簡略化を図ることである。
【課題を解決するための手段】
【０００５】
上記課題を解決するために、本発明の画像処理装置は、スキャン処理と印刷処理との少なくとも一方を実行する画像処理装置であって、前記画像処理装置は、記録媒体に記録された識別情報を、前記記録媒体から読み取る読取部と、スキャン処理及び印刷処理のいずれかの処理と、当該いずれかの処理を実行する際に必要な設定情報と、前記識別情報とを関連付けて記憶する記憶部と、制御部と、を備え、前記制御部は、前記読取部により前記識別情報を前記記録媒体から読み取る第１読取手段と、前記第１読取手段によって読み取られた前記識別情報と関連付けて前記記憶部に記憶されている処理を、当該識別情報と関連付けて前記記憶部に記憶されている前記設定情報に従って実行する第１処理実行手段と、を有することを特徴とする。
【０００６】
上記課題を解決するために、本発明の画像処理装置は、スキャン処理を実行する画像処理装置であって、前記画像処理装置は、記録媒体に記録されたスキャン処理の実行に関する指令情報を、前記記録媒体から読み取る読取部と、スキャン処理の対象となる原稿を載置するための載置部と、表示部と、制御部と、を備え、前記制御部は、前記読取部により前記指令情報を前記記録媒体から読み取る第２読取手段と、前記第２読取手段によって前記指令情報が読み取られた場合に、前記載置部に原稿が載置されているか否かを判断する第２判断手段と、前記第２判断手段によって前記載置部に原稿が載置されていないと判断された場合に、前記第２読取手段によって読み取られた前記指令情報を前記表示部に表示させる第３表示手段と、前記第２判断手段によって前記載置部に原稿が載置されていると判断された場合に、前記第２読取手段によって読み取られた前記指令情報に従って、スキャン処理を実行し、前記第２判断手段によって前記載置部に原稿が載置されていないと判断された場合に、前記第３表示手段によって前記指令情報が前記表示部に表示された後に、前記第２判断手段によって前記載置部に原稿が載置されていると判断されたことに応じ
て、当該指令情報に従ってスキャン処理を実行する第３処理実行手段と、を有することを特徴とする。
【０００７】
上記課題を解決するために、本発明の制御プログラムは、スキャン処理と印刷処理との少なくとも一方を実行する画像処理装置のコンピュータが読み取り可能な制御プログラムであって、前記画像処理装置は、記録媒体に記録された識別情報を前記記録媒体から読み取る読取部と、スキャン処理及び印刷処理のいずれかの処理と、当該いずれかの処理を実行する際に必要な設定情報と、前記識別情報とを関連付けて記憶する記憶部とを備え、前記コンピュータを、前記読取部により前記識別情報を前記記録媒体から読み取る第１読取手段と、前記第１読取手段によって読み取られた前記識別情報と関連付けて前記記憶部に記憶されている処理を、当該識別情報と関連付けて前記記憶部に記憶されている前記設定情報に従って実行する第１処理実行手段と、して機能させることを特徴とする。
【０００８】
上記課題を解決するために、本発明の制御プログラムは、スキャン処理を実行する画像処理装置のコンピュータが読み取り可能な制御プログラムであって、前記画像処理装置は、記録媒体に記録されたスキャン処理の実行に関する指令情報を前記記録媒体から読み取る読取部と、スキャン処理の対象となる原稿を載置するための載置部と、表示部とを備え、前記コンピュータを、前記読取部により前記指令情報を前記記録媒体から読み取る第２読取手段と、前記第２読取手段によって前記指令情報が読み取られた場合に、前記載置部に原稿が載置されているか否かを判断する第２判断手段と、前記第２判断手段によって前記載置部に原稿が載置されていないと判断された場合に、前記第２読取手段によって読み取られた前記指令情報を前記表示部に表示させる第３表示手段と、前記第２判断手段によって前記載置部に原稿が載置されていると判断された場合に、前記第２読取手段によって読み取られた前記指令情報に従って、スキャン処理を実行し、前記第２判断手段によって前記載置部に原稿が載置されていないと判断された場合に、前記第３表示手段によって前記指令情報が前記表示部に表示された後に、前記第２判断手段によって前記載置部に原稿が載置されていると判断されたことに応じて、当該指令情報に従ってスキャン処理を実行する第３処理実行手段と、して機能させることを特徴とする。
【発明の効果】
【０００９】
本発明の画像処理装置は、スキャン処理と印刷処理との少なくとも一方を実行する装置であり、記録媒体に記録された識別情報を、記録媒体から読み取る読取部を備えている。また、画像処理装置では、スキャン処理及び印刷処理のいずれかの処理と、その処理を実行する際に必要な設定情報と、識別情報とが関連付けられて記憶されている。そして、読取部によって識別情報が読み取られた場合に、読み取られた識別情報と関連付けて記憶されている処理が、当該識別情報と関連付けて記憶されている設定情報に従って実行される。これにより、ショートカットボタンの操作、検索等を行うことなく、記録媒体の読取だけで、所定の処理を実行することが可能となり、更なるユーザ操作の簡略化を図ることが可能となる。
【００１０】
また、本発明の画像処理装置は、スキャン処理を実行する装置であり、記録媒体に記録されたスキャン処理の実行に関する指令情報を、記録媒体から読み取る読取部を備えている。その画像処理装置では、読取部によって指令情報が記録媒体から読み取られた場合に、載置部に原稿が載置されているか否かが判断される。そして、載置部に原稿が載置されていると判断された場合に、指令情報に従ったスキャン処理が実行される。一方、載置部に原稿が載置されていないと判断された場合には、読み取られた指令情報がディスプレイ等の表示部に表示され、その表示に従って、載置部に原稿が載置された場合に、指令情報に従ったスキャン処理が実行される。つまり、記録媒体の読取が行われた際に、原稿がセットしてある場合には、スキャン処理が実行され、原稿がセットされていない場合には、指令情報がディスプレイに表示され、その表示に従って、原稿がセットされた後に、スキ
ャン処理が実行される。これにより、記録媒体の読取だけで、原稿のセットの有無が判断され、その判断結果に応じた処理を実行することが可能となり、更なるユーザ操作の簡略化を図ることが可能となる。
【図面の簡単な説明】
【００１１】
【図１】第１実施形態の通信システム１のブロック図である。
【図２】登録画面６０を示す図である。
【図３】選択画面６８を示す図である。
【図４】カード待ち画面７６を示す図である。
【図５】確認画面８１を示す図である。
【図６】ショートカットボタン選択画面８６を示す図である。
【図７】第１告知画面１００を示す図である。
【図８】第２告知画面１０２を示す図である。
【図９】第３告知画面１０６を示す図である。
【図１０】スキャナ１０の動作フローチャートを示す図である。
【図１１】スキャナ１０の動作フローチャートを示す図である。
【図１２】スキャナ１０の動作フローチャートを示す図である。
【図１３】スキャナ１０の動作フローチャートを示す図である。
【図１４】第２実施形態の通信システム１５０のブロック図である。
【図１５】スキャナ１５２の動作フローチャートを示す図である。
【図１６】カード待ち画面１６０を示す図である。
【図１７】確認画面１６６を示す図である。
【図１８】第３実施形態のスキャナ１５２の動作フローチャートを示す図である。
【図１９】第３実施形態のスキャナ１５２の動作フローチャートを示す図である。
【図２０】第３実施形態のスキャナ１５２の動作フローチャートを示す図である。
【発明を実施するための形態】
【００１２】
＜第１実施形態＞
図１に、本願に係る第１実施形態として例示される通信システム１のブロック図を示す。通信システム１は、スキャナ（本発明の画像処理装置の一例）１０、ＰＣ（Personal computerの略）５０、ルーター５２を備える。
【００１３】
スキャナ１０は、ＡＤＦ（Auto Document Feederの略）（本発明の載置部の一例）（図示省略）にセットされた原稿をスキャンして、スキャンデータを作成するものであり、ＣＰＵ（Central Processing Unitの略）（本発明の制御部およびコンピュータの一例）１
２、記憶部１４、ディスプレイ（本発明の表示部の一例）１６、入力Ｉ／Ｆ部（本発明の操作部の一例）１８、イメージセンサ１９、検出センサ（本発明のセンサの一例）２０、カードリーダ（本発明の読取部の一例）２２、ネットワークＩ／Ｆ２４を主に備えている。これらの構成要素は、入出力ポート２８を介して互いに通信可能とされている。
【００１４】
ＣＰＵ１２は、記憶部１４内の制御プログラム（本発明の制御プログラムの一例）３０，３１に従って処理を実行する。制御プログラム３０は、スキャン処理を実行し、スキャン処理により作成されたスキャンデータをＰＣ５０に送信するためプログラムである。また、制御プログラム３１は、スキャン処理時に用いられるカード、ショートカットボタンの登録を行うためのプログラムである。なお、制御プログラム３０，３１のプログラムを実行するＣＰＵ１２のことを、単にプログラム名でも記載する場合がある。例えば、「制御プログラム３０，３１が」という記載は、「制御プログラム３０，３１を実行するＣＰＵ１２が」ということを意味する場合がある。
【００１５】
また、記憶部１４は、データ記憶領域（本発明の記憶部の一例）３２を備える。データ
記憶領域３２は、制御プログラム３０の実行に必要なデータなどを記憶する領域である。なお、記憶部１４は、ＲＡＭ（Random Access Memoryの略）、ＲＯＭ（Read Only Memoryの略）、フラッシュメモリー、ＨＤＤ（ハードディスクの略）、ＣＰＵ１２が備えるバッファなどが組み合わされて構成されている。
【００１６】
ディスプレイ１６は、スキャナ１０の各種機能を表示する表示面を備える。ディスプレイの一例としては、例えば、ＬＣＤ、有機ＥＬ、プラズマディスプレイ等が挙げられる。入力Ｉ／Ｆ１８は、例えば、ディスプレイ１６と一体的に構成されているタッチパネルであってよく、ディスプレイ１６上に表示されたボタンへのユーザ操作を受け付ける。また、タッチパネル以外にも、ハードキー等であってもよい。イメージセンサ１９は、画像を読み取るものであり、例えば、ＣＣＤイメージセンサ、コンタクトイメージセンサ等である。検出センサ２０は、スキャナ１０のＡＤＦに原稿がセットされているか否かを検出するセンサである。
【００１７】
カードリーダ２２は、ＩＣチップを内蔵するカード（本発明の記録媒体の一例）（図示省略）の接近、若しくは、接触に応じて、ＩＣチップ内に記憶されているカードの製造番号（本発明の識別情報の一例）を近接無線通信により読み取るものである。
【００１８】
ネットワークＩ／Ｆ２４は、ルーター５２を介して外部装置と通信するものであり、ルーター５２を介して、ＰＣ５０に接続される。これにより、スキャナ１０は、ＰＣ５０と各種データの送受信を行うことが可能である。
【００１９】
＜通信システム１でのスキャン処理＞
通信システム１では、カードを利用してスキャナ１０によりスキャン処理を行うとともに、スキャン処理により作成されたスキャンデータをＰＣ５０に送信することが可能である。具体的には、まず、スキャナ１０において、カードの登録が行われる。スキャナ１０において、カード登録を実行するためのボタン（図示省略）が操作されると、図２に示すように、ディスプレイ１６に、登録画面６０が表示される。登録画面６０には、登録対象のカードに関連付けられるショートカット情報（本発明の設定情報の一例）を入力するための複数の入力欄６２と、キャンセルボタン６４と、ＯＫボタン６６とが表示される。
【００２０】
ショートカット情報は、スキャン処理においてショートカット機能を利用する際に必要な情報であり、スキャン処理により作成されるスキャンデータの送信先に関する情報と、スキャン処理時の解像度に関する情報と、モノクロスキャンとカラースキャンとの何れかを特定するための情報と、スキャン処理により作成されるスキャンデータのファイル形式に関する情報と、ワンプッシュ設定に関する情報があり、複数の入力欄６２には、各情報が入力される。なお、ワンプッシュ設定は、スキャン処理時において、簡易な操作によりスキャン処理を開始するための設定である。つまり、ワンプッシュ設定がＯＮに設定されると、後に詳しく説明するが、簡易な操作によりスキャン処理が開始し、ワンプッシュ設定がＯＦＦに設定されると、再確認のユーザ操作の後にスキャン処理が開始する。
【００２１】
複数の入力欄６２にショートカット情報が入力された後に、ＯＫボタン６６が操作されると、図３に示すように、ディスプレイ１６に選択画面６８が表示される。選択画面６８には、登録画面６０の入力欄６２に入力されたショートカット情報が、ユーザ確認用に表示される。また、選択画面６８には、カード登録ボタン７０と、カード無登録ボタン７２と、キャンセルボタン７４とが表示される。カード登録ボタン７０は、スキャン処理を実行するためのカードを登録するためのボタンであり、カード無登録ボタン７２は、カードではなく、ショートカットボタンを利用してスキャン処理を実行する際のショートカット情報を登録するためのボタンである。
【００２２】
選択画面６８でカード登録ボタン７０が操作されると、図４に示すように、ディスプレイ１６にカード待ち画面７６が表示される。カード待ち画面７６には、カードをカードリーダ２２に接近、若しくは、接触させる旨のコメントと、キャンセルボタン７８が表示される。ユーザは、この画面を確認することで、登録対象のカードをカードリーダ２２に接近、若しくは、接触させる。これにより、登録対象のカードの製造番号が、カードリーダ２２によって読み取られる。そして、そのカードの製造番号と、登録画面６０の入力欄６２に入力されたショートカット情報とが関連付けられて、データ記憶領域３２に記憶される。なお、カードの製造番号とショートカット情報とが関連付けられてデータ記憶領域３２に記憶された後に、ディスプレイ１６には、図５に示すように、確認画面８１が表示される。確認画面８１には、登録されたカードの製造番号と、ショートカット情報と、ＯＫボタン８２が表示される。そして、ＯＫボタン８２が操作されることで、カードの登録が完了する。
【００２３】
また、選択画面６８において、カード無登録ボタン７２が操作された場合には、ショートカットボタンを利用してスキャン処理を実行する際のショートカット情報が登録される。詳しくは、選択画面６８において、カード無登録ボタン７２が操作されると、図６に示すように、ディスプレイ１６にショートカットボタン選択画面８６が表示され、ショートカットボタン選択画面８６には、複数のショートカットボタン８８が表示されている。そして、ユーザが、複数のショートカットボタン８８のうちの何れかのボタンを選択した場合に、その選択されたショートカットボタン８８に関する情報と、登録画面６０の入力欄６２に入力されたショートカット情報とが関連付けられて、データ記憶領域３２に記憶される。そして、ディスプレイ１６に、選択されたショートカットボタン８８に関連付けられて記憶されたショートカット情報を確認するための画面（図示省略）が表示され、ショートカットボタン８８に対応するショートカット情報の登録が完了する。
【００２４】
カードの登録、若しくは、ショートカットボタン８８に対応するショートカット情報の登録が完了すると、登録済みのカード、若しくは、登録済みのショートカットボタン８８により、スキャン処理を実行することが可能となる。詳しくは、ユーザが、登録済みのカードを、カードリーダ２２に接近、若しくは、接触させると、カードの製造番号がカードリーダ２２によって読み取られる。そして、スキャナ１０では、読み取ったカードの製造番号と関連付けられてデータ記憶領域３２に記憶されているショートカット情報が抽出され、その抽出されたショートカット情報に従って、スキャン処理が実行される。若しくは、ユーザが、登録済みのショートカットボタン８８を選択すると、選択されたショートカットボタン８８と関連付けられてデータ記憶領域３２に記憶されているショートカット情報が抽出され、その抽出されたショートカット情報に従って、スキャン処理が実行される。
【００２５】
ただし、ＡＤＦに原稿がセットされていないと、スキャン処理を実行することができないため、ＡＦＤに原稿がセットされているか否かが、検出センサ２０の検出値に基づいて判断される。また、ショートカット情報には、上述したように、ワンプッシュ設定に関する情報が含まれており、ワンプッシュ設定がＯＮに設定されている場合には、簡易な操作によりスキャン処理が開始するが、ワンプッシュ設定がＯＦＦに設定されている場合には、再確認のユーザ操作が必要となる。このため、ＡＤＦに原稿がセットされており、抽出されたショートカット情報に含まれるワンプッシュ設定がＯＮに設定されている場合に、スキャン処理が実行される。つまり、ＡＤＦに原稿がセットされており、抽出されたショートカット情報に含まれるワンプッシュ設定がＯＮに設定されている場合には、登録済みのカードをカードリーダ２２に接近、若しくは、接触させるだけで、スキャン処理が実行される。
【００２６】
このスキャン処理では、抽出されたショートカット情報に含まれる解像度，スキャン色
，ファイル形式に関する情報に従って、原稿がスキャンされ、スキャンデータが作成される。そして、作成されたスキャンデータが、抽出されたショートカット情報に含まれる送信先に関する情報に基づいて、ネットワークＩ／Ｆ２４を介して、ＰＣ５０等に送信される。なお、上記手順でスキャン処理が実行される際には、図７に示すように、ディスプレイ１６に第１告知画面１００が表示される。第１告知画面１００には、カードを用いたスキャン処理の実行を告知するコメントと、実行されるスキャン処理のショートカット情報が表示される。
【００２７】
また、カードのカードリーダ２２への接近、若しくは、接触により、そのカードの製造番号に関連付けられているショートカット情報が抽出された際に、抽出されたショートカット情報に含まれるワンプッシュ設定がＯＮに設定されているが、ＡＤＦに原稿がセットされていない場合には、図８に示すように、ディスプレイ１６に第２告知画面１０２が表示される。第２告知画面１０２には、登録済みのカードを検出した旨のコメントと、カードに関連付けられているショートカット情報、つまり、このカードを用いたスキャン処理時のショートカット情報が表示される。これにより、ユーザは、このカードを用いたスキャン処理時のショートカット情報を確認することが可能となる。つまり、例えば、ユーザが、カードを用いたスキャン処理の内容を忘れてしまった場合等に、ＡＤＦに意識的に原稿をセットせずに、カードをカードリーダ２２に接近、若しくは、接触させることで、カードを用いたスキャン処理の内容を確認することが可能となる。
【００２８】
また、第２告知画面１０２には、ＡＤＦへの原稿のセットによりスキャン処理を即時、実行する旨のコメントも表示される。このため、ディスプレイ１６に第２告知画面１０２が表示されている状態において、ユーザが、原稿をＡＤＦにセットすることで、抽出されたショートカット情報に従って、スキャン処理が実行され、そのスキャン処理により作成されたスキャンデータが、抽出されたショートカット情報に含まれる送信先に送信される。これにより、第２告知画面１０２において、ショートカット情報を確認した後に、ボタン操作を行うことなくスキャン処理を行うことが可能となり、非常に便利である。
【００２９】
また、カードのカードリーダ２２への接近、若しくは、接触により、そのカードの製造番号に関連付けられているショートカット情報が抽出された際に、抽出されたショートカット情報に含まれるワンプッシュ設定がＯＦＦに設定されている場合には、ＡＤＦへの原稿のセットの有無に関わらず、図９に示すように、ディスプレイ１６に第３告知画面１０６が表示される。第３告知画面１０６には、カードに関連付けられているショートカット情報、つまり、このカードを用いたスキャン処理時のショートカット情報が表示される。さらに、第３告知画面１０６には、スタートボタン１０８と、ＡＤＦへの原稿のセット後に、スタートボタン１０８を操作することで、表示されているショートカット情報に従ったスキャン処理が実行される旨のコメントが表示される。そして、ユーザが、スタートボタン１０８を操作することで、抽出されたショートカット情報に従って、スキャン処理が実行され、そのスキャン処理により作成されたスキャンデータが、抽出されたショートカット情報に含まれる送信先に送信される。つまり、ユーザがカードをカードリーダ２２に接近、若しくは、接触させた後に、ショートカット情報を確認するとともに、確認後のユーザ操作を行うことで、スキャン処理が実行される。これにより、ユーザの意思を確実に確認することが可能となり、ユーザの意図しないスキャン処理の実行，スキャンデータの誤送信等を防止することが可能となる。
【００３０】
また、ショートカットボタン８８が操作された場合にも、カードがカードリーダ２２に接近、若しくは、接触させた場合と同様に、スキャン処理が実行される。つまり、ショートカットボタン８８が操作された場合には、操作されたショートカットボタン８８に関連付けられているショートカット情報が抽出される。次に、ＡＦＤに原稿がセットされているか否かが判定されるとともに、抽出されたショートカット情報に含まれるワンプッシュ
設定がＯＮに設定されているか否かが判定される。そして、ＡＦＤに原稿がセットされており、抽出されたショートカット情報に含まれるワンプッシュ設定がＯＮに設定されている場合には、スキャン処理が実行される。つまり、ＡＤＦに原稿がセットされており、抽出されたショートカット情報に含まれるワンプッシュ設定がＯＮに設定されている場合には、ショートカットボタン８８を操作するだけで、スキャン処理が実行される。このショートカットボタン８８の操作によるスキャン処理は、カードを利用したスキャン処理と同じであるため、説明を省略する。なお、ショートカットボタン８８の操作によるスキャン処理が実行される際には、図７に示す第１告知画面１００と同様の画面がディスプレイ１６に表示される。ただし、この画面では、第１告知画面１００中の「Ｓｃａｎ＃１１のカードが翳されました」というコメントが、「ショートカットボタン＃Ｘが操作されました」というコメントとなっている。
【００３１】
また、ショートカットボタン８８の操作により、ショートカット情報が抽出された際に、抽出されたショートカット情報に含まれるワンプッシュ設定がＯＮに設定されているが、ＡＤＦに原稿がセットされていない場合には、図８に示す第２告知画面１０２と同様の画面がディスプレイ１６に表示される。この画面では、第２告知画面１０２中の「Ｓｃａｎ＃１１のカードが翳されました」というコメントが、「ショートカットボタン＃Ｘが操作されました」というコメントとなっている。これにより、カードを利用したスキャン処理時と同様に、例えば、ユーザが、ショートカットボタン８８の内容を忘れてしまった場合等に、ＡＤＦに意識的に原稿をセットせずに、ショートカットボタン８８を操作することで、ショートカットボタン８８の内容を確認することが可能となる。また、ユーザが、画面に表示されたコメントに従って、原稿をＡＤＦにセットすることで、スキャン処理が実行される。これにより、第２告知画面１０２と同様の画面において、ショートカット情報を確認した後に、ボタン操作を行うことなくスキャン処理を行うことが可能となり、非常に便利である。
【００３２】
また、ショートカットボタン８８の操作により、ショートカット情報が抽出された際に、抽出されたショートカット情報に含まれるワンプッシュ設定がＯＦＦに設定されている場合には、ＡＤＦへの原稿のセットの有無に関わらず、図９に示す第３告知画面１０６と同様の画面がディスプレイ１６に表示される。この画面では、第３告知画面１０６中の「Ｓｃａｎ＃１１のカードが翳されました」というコメントが、「ショートカットボタン＃Ｘが操作されました」というコメントとなっている。この画面でも、第３告知画面１０６と同様に、スタートボタン１０８が操作されることで、抽出されたショートカット情報に従って、スキャン処理が実行される。つまり、ユーザがショートカットボタン８８を操作した後に、ショートカット情報を確認するとともに、確認後のユーザ操作を行うことで、スキャン処理が実行される。これにより、ユーザの意思を確実に確認することが可能となり、ユーザの意図しないスキャン処理の実行，スキャンデータの誤送信等を防止することが可能となる。
【００３３】
＜制御プログラム＞
上述したスキャン処理は、スキャナ１０のＣＰＵ１２において制御プログラム３０が実行されることによって行われる。また、スキャン処理に用いられるカード、ショートカットボタンの登録は、スキャナ１０のＣＰＵ１２において制御プログラム３１が実行されることによって行われる。以下に、図１０乃至図１２を用いて、スキャナ１０のＣＰＵ１２で制御プログラム３０が実行される際のフローを説明し、図１３を用いて、スキャナ１０のＣＰＵ１２で制御プログラム３１が実行される際のフローを説明する。
【００３４】
制御プログラム３０が実行されると、まず、図１０に示すように、ショートカットボタン８８が操作されたか否かが、ＣＰＵ１２によって判断される（ステップ（以下、「Ｓ」と略す）１００）。ショートカットボタン８８が操作されていない場合（Ｓ１００のＮＯ
）には、カードが検知されたか否かが、ＣＰＵ１２によって判断される（Ｓ１０２）。つまり、カードがカードリーダ２２に接近、若しくは、接触されたか否かが、ＣＰＵ１２によって判断される。カードが検知されていない場合（Ｓ１０２のＮＯ）には、Ｓ１００に戻る。
【００３５】
一方、カードが検知された場合（Ｓ１０２のＹＥＳ）には、カードの製造番号が、カードリーダ２２によって読み取られる（Ｓ１０４）。次に、読み取られたカードの製造番号に関連付けられているショートカット情報が、データ記憶領域３２に記憶されているか否かが、ＣＰＵ１２によって判断される（Ｓ１０６）。カードの製造番号に関連付けられているショートカット情報が記憶されていない場合（Ｓ１０６のＮＯ）には、Ｓ１００に戻る。
【００３６】
一方、カードの製造番号に関連付けられているショートカット情報が記憶されている場合（Ｓ１０６のＹＥＳ）には、そのショートカット情報が抽出され、抽出されたショートカット情報に含まれるワンプッシュ設定がＯＮに設定されているか否かが、ＣＰＵ１２によって判断される（Ｓ１０８）。ワンプッシュ設定がＯＮに設定されている場合（Ｓ１０８のＹＥＳ）には、ＡＤＦに原稿がセットされているか否かが、ＣＰＵ１２によって判断される（Ｓ１１０）。ＡＤＦに原稿がセットされている場合（Ｓ１１０のＹＥＳ）には、ディスプレイ１６に第１告知画面１００が表示される（Ｓ１１２）。
【００３７】
次に、抽出されたショートカット情報に基づいたスキャン処理が実行される（Ｓ１１４）。そして、電源がＯＦＦとされたか否かが、ＣＰＵ１２によって判断される（Ｓ１１６）。電源がＯＦＦとされていない場合（Ｓ１１６のＮＯ）には、Ｓ１００に戻る。一方、電源がＯＦＦとされている場合（Ｓ１１６のＹＥＳ）には、制御プログラム３０の処理が終了する。
【００３８】
また、Ｓ１００でＡＤＦに原稿がセットされていない場合（Ｓ１１０のＮＯ）には、ディスプレイ１６に第２告知画面１０２が表示される（Ｓ１１８）。そして、ＡＤＦに原稿がセットされているか否かが、ＣＰＵ１２によって判断される（Ｓ１２０）。ＡＤＦに原稿がセットされていない場合（Ｓ１２０のＮＯ）には、Ｓ１２０の処理が繰り返される。一方、ＡＤＦに原稿がセットされている場合（Ｓ１２０のＹＥＳ）には、Ｓ１１４以降の処理が行われる。
【００３９】
また、Ｓ１０８でワンプッシュ設定がＯＦＦに設定されている場合（Ｓ１０８のＮＯ）には、ワンプッシュＯＦＦ処理実行サブルーチンが実行される（Ｓ１２２）。ワンプッシュＯＦＦ処理実行サブルーチンでは、図１２に示すように、ディスプレイ１６に第３告知画面１０６が表示される（Ｓ１３０）。そして、スタートボタン１０８が操作されたか否かが、ＣＰＵ１２によって判断される（Ｓ１３２）。スタートボタン１０８が操作されていない場合（Ｓ１３２のＮＯ）には、Ｓ１３２の処理が繰り返される。一方、スタートボタン１０８が操作された場合（Ｓ１３２のＹＥＳ）には、ＡＤＦに原稿がセットされているか否かが、ＣＰＵ１２によって判断される（Ｓ１３４）。ＡＤＦに原稿がセットされていない場合（Ｓ１３４のＮＯ）には、ディスプレイ１６にエラー画面（図示省略）が表示される（Ｓ１３６）。そして、Ｓ１３０に戻る。一方、ＡＤＦに原稿がセットされている場合（Ｓ１３４のＹＥＳ）には、ワンプッシュＯＦＦ処理実行サブルーチンが終了し、メインルーチンに戻り、Ｓ１１４以降の処理が行われる。
【００４０】
また、Ｓ１００でショートカットボタン８８が操作された場合（Ｓ１００のＹＥＳ）には、Ｓ１０８以降の処理が行われる。なお、この場合のＳ１０８では、操作されたショートカットボタン８８に関連付けられているショートカット情報が抽出され、抽出されたショートカット情報に含まれるワンプッシュ設定がＯＮに設定されているか否かが、ＣＰＵ
１２によって判断される。
【００４１】
制御プログラム３１は、図示しないメニュー画面においてショートカットの登録指示を受付けることによって開始される。制御プログラム３１が実行されると、図１３に示すように、登録画面６０がディスプレイ１６に表示される（Ｓ１５０）。次に、登録画面６０でＯＫボタン６６が操作されたか否かが、ＣＰＵ１２によって判断される（Ｓ１５２）。ＯＫボタン６６が操作されていない場合（Ｓ１５２のＮＯ）には、Ｓ１５２の処理が繰り返される。一方、ＯＫボタン６６が操作されている場合（Ｓ１５２のＹＥＳ）には、選択画面６８がディスプレイ１６に表示される（Ｓ１５４）。そして、選択画面６８でカード登録ボタン７０が操作されたか否かが、ＣＰＵ１２によって判断される（Ｓ１５６）。
【００４２】
カード登録ボタン７０が操作されている場合（Ｓ１５６のＹＥＳ）には、カード待ち画面７６が表示される（Ｓ１５８）。そして、カードが検知されたか否か、つまり、カードリーダ２２にカードが接近、若しくは、接触されたか否かが、ＣＰＵ１２によって判断される（Ｓ１６０）。カードが検知されていない場合（Ｓ１６０のＮＯ）には、Ｓ１６０の処理が繰り返される。一方、カードが検知された場合（Ｓ１６０のＹＥＳ）には、カードリーダ２２によりカードの製造番号が読み取られる（Ｓ１６２）。
【００４３】
次に、読み取られた製造番号と、登録画面６０の入力欄６２に入力されたショートカット情報とが、関連づけられてデータ記憶領域３２に記憶される（Ｓ１６４）。続いて、確認画面８１がディスプレイ１６に表示される（Ｓ１６６）。そして、確認画面８１でＯＫボタン８２が操作されたか否かが、ＣＰＵ１２によって判断される（Ｓ１６８）。ＯＫボタン８２が操作されていない場合（Ｓ１６８のＮＯ）には、Ｓ１６８の処理が繰り返される。一方、ＯＫボタン８２が操作されている場合（Ｓ１６８のＹＥＳ）には、制御プログラム３１の処理が終了する。
【００４４】
また、Ｓ１５６でカード登録ボタン７０が操作されずに、カード無登録ボタン７２が操作されている場合（Ｓ１５６のＮＯ）には、Ｓ１６４以降の処理が行われる。なお、この場合のＳ１６４では、操作されたショートカットボタン８８と、登録画面６０の入力欄６２に入力されたショートカット情報とが、関連づけられてデータ記憶領域３２に記憶される。
【００４５】
なお、Ｓ１００を実行するＣＰＵ１２は、第１表示手段の一例である。Ｓ１０４を実行するＣＰＵ１２は、第１読取手段の一例である。Ｓ１１０を実行するＣＰＵ１２は、第１判断手段の一例である。Ｓ１１４を実行するＣＰＵ１２は、第１処理実行手段及び第２処理実行手段の一例である。Ｓ１１８を実行するＣＰＵ１２は、第２表示手段の一例である。Ｓ１６４を実行するＣＰＵ１２は、第１記憶手段の一例である。
【００４６】
＜第２実施形態＞
図１４に、本願に係る第２実施形態として例示される通信システム１５０のブロック図を示す。通信システム１５０は、スキャナ（本発明の画像処理装置の一例）１５２のカードリーダ／ライタ（本発明の読取部および書込部の一例）１５４を除いて、通信システム１と同じ構成である。このため、通信システム１の構成と同じものについては、通信システム１と同じ符号を用いる。
【００４７】
通信システム１５０では、スキャナ１５２のカードリーダ／ライタ１５４により、カードに各種データを書き込むとともに、書き込んだデータを読み取ることが可能である。このため、通信システム１５０では、カードを用いたスキャン処理時に、カードの製造番号ではなく、スキャナ１５２で独自に作成されたＩＤナンバーを利用してスキャン処理が実行される。つまり、カードに、スキャナ１５２で独自に作成されたＩＤナンバーが書き込
まれ、そのＩＤナンバーを利用してスキャン処理が実行される。具体的には、スキャナ１５２においてカードの登録が行われる際に、カード登録を実行するためのボタン（図示省略）が操作されると、図２に示す登録画面６０がディスプレイ１６に表示される。
【００４８】
登録画面６０において、入力欄６２にショートカット情報が入力された後に、ＯＫボタン６６が操作されると、図３に示す選択画面６８がディスプレイ１６に表示される。この選択画面６８でカード登録ボタン７０が操作されると、図４に示すカード待ち画面７６がディスプレイ１６に表示される。このカード待ち画面７６が表示される際には、ＣＰＵ１２では、独自のＩＤナンバーが作成されている。そして、ユーザが、カード待ち画面７６の表示に従って、カードをカードリーダ／ライタ１５４に接近、若しくは、接触させることで、カードにＩＤナンバーが書き込まれる。また、そのＩＤナンバーと、登録画面６０の入力欄６２に入力されたショートカット情報とが関連付けられて、データ記憶領域３２に記憶される。なお、ＩＤナンバーとショートカット情報とが関連付けられてデータ記憶領域３２に記憶された後に、ディスプレイ１６には、図５に示す確認画面８１が表示され、確認画面８１でＯＫボタン８２が操作されることで、カードの登録が完了する。
【００４９】
この登録の完了したカードを、カードリーダ／ライタ１５４に接近、若しくは、接触させると、カードリーダ／ライタ１５４によって、カードに書き込まれたＩＤナンバーが読み取られる。そして、読み取られたＩＤナンバーと関連付けられてデータ記憶領域３２に記憶されているショートカット情報が抽出される。ショートカット情報が抽出された後の処理は、第１実施例と同じであるため、説明を省略するが、第２実施形態のスキャナ１５２においても、第１実施携帯のスキャナ１０と同様に、カードを利用したスキャン処理を実行することが可能である。
【００５０】
また、第１実施形態のスキャナ１０では、カードの製造番号を利用してスキャン処理を実行しているが、第２実施形態のスキャナ１５２では、スキャナ１５２で独自に作成されたＩＤナンバーを利用してスキャン処理を実行している。カードの製造番号は、カードの製造会社において、カード毎に設定されるため、同じ製造番号のカードが複数枚存在する可能性は、殆どない。しかしながら、カードの発行枚数が極端に多くなった場合等には、相当低い確率で、同じ製造番号のカードが複数枚存在する場合があり、そのような場合には、登録情報の機密性が損なわれる虞がある。一方で、スキャナ１５２で独自に作成されたＩＤナンバーであれば、カード毎に、異なるＩＤナンバーを書き込めば、同じＩＤナンバーの書き込まれたカードが１枚である確率はさらに高くなる。このため、第２実施形態のスキャナ１５２によれば、確実に登録情報の機密性を担保することが可能となる。
【００５１】
上述したカードの登録は、スキャナ１５２のＣＰＵ１２において制御プログラム３１が実行されることによって行われる。以下に、図１５を用いて、スキャナ１５２のＣＰＵ１２で制御プログラム３１が実行される際のフローを説明する。ただし、本フローは、図１３に示すフローと共通する箇所が多いため、共通する箇所に関しては、簡略に説明する。
【００５２】
制御プログラム３１が実行されると、図１３のＳ１５０〜Ｓ１６０と同様に、Ｓ１７０〜Ｓ１８０の処理が実行される。そして、Ｓ１８０でカードが検知された場合（Ｓ１８０のＹＥＳ）には、独自のＩＤナンバーが作成され、そのＩＤナンバーがカードに書き込まれる（Ｓ１８２）。そして、そのＩＤナンバーと、登録画面６０の入力欄６２に入力されたショートカット情報とが、関連づけられてデータ記憶領域３２に記憶される（Ｓ１８４）。続いて、図１３のＳ１６６，Ｓ１６８と同様に、Ｓ１８６，Ｓ１８８の処理が実行され、制御プログラム３１の処理が終了する。
【００５３】
なお、Ｓ１８２を実行するＣＰＵ１２は、書込手段の一例である。Ｓ１８４を実行するＣＰＵ１２は、第２記憶手段の一例である。
【００５４】
＜第３実施形態＞
第３実施形態の通信システム１５０の構成は、第２実施形態における通信システム１５０の構成と同じであるため、第３実施形態における通信システム１５０の構成の図示および、説明は省略する。
【００５５】
第１実施形態および、第２実施形態のスキャナ１０，１５２では、カードの製造番号、若しくは、ＩＤナンバーと、ショートカット情報とが関連付けられてデータ記憶領域３２に記憶されており、カードの製造番号、若しくは、ＩＤナンバーを利用して、ショートカット情報が抽出される。そして、その抽出されたショートカット情報に従ったスキャン処理が実行される。一方、第３実施形態の通信システム１５０では、カードにショートカット情報が書き込まれており、そのショートカット情報が、カードリーダ／ライタ１５４により読み込まれることで、ショートカット情報に従ったスキャン処理が実行される。
【００５６】
具体的には、スキャナ１５２においてカードの登録が行われる際に、カード登録を実行するためのボタン（図示省略）が操作されると、図２に示す登録画面６０がディスプレイ１６に表示される。登録画面６０において、入力欄６２にショートカット情報が入力された後に、ＯＫボタン６６が操作されると、図１６に示すように、ディスプレイ１６にカード待ち画面１６０が表示される。
【００５７】
カード待ち画面１６０には、登録画面６０の入力欄６２に入力されたショートカット情報と、そのショートカット情報をカードに書き込むべく、カードをカードリーダ／ライタ１５４に接近、若しくは、接触させる旨のコメントと、キャンセルボタン１６２が表示される。ユーザは、この画面を確認することで、登録対象のカードをカードリーダ／ライタ１５４に接近、若しくは、接触させる。これにより、登録画面６０の入力欄６２に入力されたショートカット情報が、登録対象のカードに書き込まれる。そして、カードへのショートカット情報の書き込みが完了すると、図１７に示すように、確認画面１６６がディスプレイ１６に表示される。確認画面１６６には、カードに登録されたショートカット情報と、ＯＫボタン１６８が表示される。そして、ＯＫボタン１６８が操作されることで、カードの登録が完了する。
【００５８】
この登録の完了したカードを、カードリーダ／ライタ１５４に接近、若しくは、接触させると、カードリーダ／ライタ１５４によって、カードに書き込まれたショートカット情報が読み取られる。このショートカット情報を用いて、第１実施形態および第２実施形態のスキャナ１０，１５２と同様に、スキャン処理が実行される。これにより、第３実施形態のスキャナ１５２においても、第１実施携帯および第２実施形態のスキャナ１０，１５２と同様に、カードを利用したスキャン処理を実行することが可能である。
【００５９】
また、第１実施形態および第２実施形態のスキャナ１０，１５２では、カードの製造番号若しくは、ＩＤナンバーと、ショートカット情報とが関連付けられて、スキャナに登録される。このため、第１実施形態および第２実施形態のスキャナ１０，１５２では、カードを利用したスキャン処理を実行するためには、スキャナ毎に、製造番号等を登録する必要がある。一方、第３実施形態のスキャナ１５２では、スキャナへの登録は一切行われず、カードにショートカット情報が登録される。このため、第３実施形態のスキャナ１５２では、スキャナに対して登録することなく、登録済みのカードを用いてスキャン処理を行うことが可能となる。これにより、汎用性に優れたスキャン処理を行うことが可能となる。
【００６０】
上述したように登録されたカードを用いたスキャン処理は、スキャナ１５２のＣＰＵ１２において制御プログラム３０が実行されることによって行われる。また、上述したカー
ドの登録は、スキャナ１５２のＣＰＵ１２において制御プログラム３１が実行されることによって行われる。以下に、図１８及び図１９を用いて、スキャナ１５２のＣＰＵ１２で制御プログラム３０が実行される際のフローを説明し、図２０を用いて、スキャナ１５２のＣＰＵ１２で制御プログラム３１が実行される際のフローを説明する。ただし、制御プログラム３０が実行される際のフローは、図１０および図１１に示すフローと共通する箇所が多く、制御プログラム３１が実行される際のフローは、図１３に示すフローと共通する箇所が多い。このため、共通する箇所に関しては、簡略に説明する。
【００６１】
制御プログラム３０が実行されると、図１０のＳ１００，Ｓ１０２と同様に、Ｓ２００，Ｓ２０２の処理が実行される。そして、Ｓ２０２でカードが検知された場合（Ｓ２０２のＹＥＳ）には、検知されたカードからデータが読み取られ、データのデコードが行われる（Ｓ２０４）。次に、デコードが成功したか否かが、ＣＰＵ１２によって判断される（Ｓ２０６）。デコードが成功しなかった場合（Ｓ２０６のＮＯ）には、Ｓ２００に戻る。一方、デコードが成功した場合（Ｓ２０６のＹＥＳ）には、図１０のＳ１０８〜Ｓ１２２と同様に、Ｓ２０８〜Ｓ２２２の処理が実行され、制御プログラム３０の処理が終了する。なお、本フローで用いられるショートカット情報は、カードから読み取られたデータのデコードにより得られる。
【００６２】
また、制御プログラム３１が実行されると、図１３のＳ１５０，Ｓ１５２と同様に、Ｓ２３０，Ｓ２３２の処理が実行される。そして、Ｓ２３２で登録画面６０のＯＫボタン６６が操作された場合（Ｓ２３２のＹＥＳ）には、カード待ち画面１６０が表示される（Ｓ２３４）。そして、カードが検知されたか否か、つまり、カードリーダ／ライタ１５４にカードが接近、若しくは、接触されたか否かが、ＣＰＵ１２によって判断される（Ｓ２３６）。カードが検知されていない場合（Ｓ２３６のＮＯ）には、Ｓ２３６の処理が繰り返される。一方、カードが検知された場合（Ｓ２３６のＹＥＳ）には、カードリーダ／ライタ１５４によりカードに、登録画面６０の入力欄６２に入力されたショートカット情報が書き込まれる（Ｓ２３８）。そして、図１３のＳ１６６，Ｓ１６８と同様に、Ｓ２４０，Ｓ２４２の処理が実行され、制御プログラム３１の処理が終了する。
【００６３】
なお、Ｓ２００を実行するＣＰＵ１２は、第１表示手段の一例である。Ｓ２０４を実行するＣＰＵ１２は、第２読取手段の一例である。Ｓ２１０を実行するＣＰＵ１２は、第２判断手段の一例である。Ｓ２１４を実行するＣＰＵ１２は、第２処理実行手段及び第３処理実行手段の一例である。Ｓ２１８を実行するＣＰＵ１２は、第３表示手段の一例である。
【００６４】
なお、本発明は、上記実施形態に限定されるものではなく、当業者の知識に基づいて種々の変更、改良を施した種々の態様で実施することが可能である。具体的には、例えば、上記実施形態では、選択画面６８でのカード登録ボタン７０への操作により、ショートカット情報に関連付けられたカードの登録が行われ、カード無登録ボタン７２への操作により、ショートカット情報に関連付けられたショートカットボタン８８の登録が行われるが、カード登録ボタン７０への操作により、ショートカット情報に関連付けられたカードの登録とショートカットボタン８８の登録とを同時に行うことが可能である。つまり、カード登録ボタン７０へのユーザ操作により、登録画面６０において入力されたショートカット情報と、カードリーダ２２により読み取られたカードの製造番号と、ショートカットボタン８８に関する情報とを関連付けて記憶することが可能である。これにより、カード登録ボタン７０への操作により登録されたカードと、ショートカットボタン８８との何れを用いてスキャン処理を実行した場合であっても、同じ条件でスキャン処理を行うことが可能となる。なお、カード登録ボタン７０への操作によりカードとショートカットボタン８８とが同時に登録される場合には、カード無登録ボタン７２への操作により、ショートカットボタン８８の登録のみが行われる。
【００６５】
また、上記実施形態では、カードを用いてスキャン処理が実行されているが、カードを用いて印刷処理、コピー処理を行うことが可能である。カードを用いて印刷処理、コピー処理が行われる際のショートカット情報としては、印刷用紙の用紙サイズを特定するための情報，モノクロ印刷とカラー印刷との何れかを特定するための情報，ワンプッシュ設定に関する情報，給紙トレイに収納されている印刷用紙と手差しトレイに載置されている印刷用紙との何れに印刷するかを特定するための情報等がある。
【００６６】
また、カードを用いて印刷処理、コピー処理を行う際に、例えば、ショートカット情報として、手差しトレイに載置されている印刷用紙に印刷する旨の情報が設定されており、手差しトレイに印刷用紙が載置されている場合に、カードが検出されたことに応じて、印刷処理、コピー処理を実行してもよい。一方、ショートカット情報として、手差しトレイに載置されている印刷用紙に印刷する旨の情報が設定されており、手差しトレイに印刷用紙が載置されていない場合には、カードが検出された後に、図８の第２告知画面１０２に相当する画面、つまり、印刷処理に関するショートカット情報と、手差しトレイに印刷用紙が載置された後に、印刷処理を実行する旨のコメントを含む画面をディスプレイに表示してもよい。
【００６７】
また、上記実施形態では、カードが検出された際に、ワンプッシュ設定がＯＮであり、かつ、ＡＤＦに原稿がセットされていない場合に、ディスプレイ１６にスキャン処理に関するショートカット情報が表示され、その後原稿がＡＤＦにセットされると直ちにスキャンが開始される。しかし、ショートカット情報が表示され、原稿がセットされた後に、ユーザ操作を受付けてからスキャンを開始する構成としてもよい。これにより、原稿が傾いてＡＤＦにセットされている等の不完全な状態でスキャンを開始してしまい、ＡＤＦにおいてジャムが発生する、傾いた画像データが作成されてしまう等の発生を防ぐことができる。
【００６８】
また、上記実施形態のワンプッシュＯＦＦ処理実行のステップ（Ｓ１２２、Ｓ２２２）中において、原稿がセットされていない場合（Ｓ１３４のＮＯ）に、エラー画面の表示（Ｓ１３６）に変えて、第２告知画面表示（Ｓ１１８と同様の処理）、原稿セット済か否かの判断（Ｓ１２０と同様の処理）を行い、原稿セット済であると判断した場合にスキャン処理を実行する（Ｓ１１４と同様の処理）構成としてもよい。
【００６９】
また、上記実施形態では、ショートカット情報として、ワンプッシュ設定に関する情報を含んでいたが、含まない構成であってもよい。すなわち、スキャナは、上記実施形態におけるワンプッシュ設定がＯＮである場合と同様の処理のみを行う構成、又はワンプッシュ設定がＯＦＦである場合と同様の処理のみを行う構成としてもよい。
【００７０】
また、上記実施形態では、スキャンはＡＤＦ方式により行われたが、ＦＢ（flatbed）
方式であっても良い。その際、原稿がセットされているか否かの判断は、イメージセンサにより取得した画像データに基づいて行っても良いし、ＦＢに設けられた検出センサからの検出信号によって行っても良い。
【００７１】
また、上記実施形態では、識別情報を記録する記録媒体として、ＩＣチップを内蔵するカードが採用されているが、スマートフォン，タブレット等の携帯端末を採用することが可能である。また、ショートカット情報に関連づけられた識別情報は、近接無線通信以外の通信により読み取る構成であってもよく、例えば、イメージセンサによりバーコードをスキャンし、バーコードをデコードし、文字列とすることで識別情報を取得する構成であってもよい。
【００７２】
また、上記実施形態では、ＣＰＵ１２等によって図１０乃至図１３、図１５、図１８乃至図２０に示す処理が実行される例を説明したが、これら処理は、ＣＰＵ１２等に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００７３】
１０：スキャナ（画像処理装置）
１２：ＣＰＵ（コンピュータ）（制御部）
１６：ディスプレイ（表示部）
１８：入力Ｉ／Ｆ（操作部）
２０：検出センサ（センサ）
２２：カードリーダ（読取部）
３０：制御プログラム
３１：制御プログラム
３２：データ記憶領域（記憶部）
１５２：スキャナ（画像処理装置）
１５４：カードリーダ／ライタ（読取部）（書込部）
【図１】
2018186517.tif 000003
【図２】
2018186517.tif 000004
【図３】
2018186517.tif 000005
【図４】
2018186517.tif 000006
【図５】
2018186517.tif 000007
【図６】
2018186517.tif 000008
【図７】
2018186517.tif 000009
【図８】
2018186517.tif 000010
【図９】
2018186517.tif 000011
【図１０】
2018186517.tif 000012
【図１１】
2018186517.tif 000013
【図１２】
2018186517.tif 000014
【図１３】
2018186517.tif 000015
【図１４】
2018186517.tif 000016
【図１５】
2018186517.tif 000017
【図１６】
2018186517.tif 000018
【図１７】
2018186517.tif 000019
【図１８】
2018186517.tif 000020
【図１９】
2018186517.tif 000021
【図２０】
2018186517.tif 000022
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
画像処理を実行可能な画像処理装置であって、
記録媒体に記録された識別情報を、前記記録媒体から読み取る読取部と、
画像処理を実行する際に必要な設定情報と前記識別情報とを関連付けて記憶する記憶部と、
操作部と、
制御部と、
を備え、
前記制御部は、
前記読取部により前記識別情報を前記記録媒体から読み取る読取手段と、
前記読取手段によって読み取られた前記識別情報と関連付けて記憶されている設定情報を前記記憶部から取得する取得手段と、
前記操作部から画像処理を実行させるための操作を受け付けることなく、前記取得手段により前記記憶部から取得した前記設定情報に従って画像処理を実行する処理実行手段と、
を有することを特徴とする画像処理装置。
【請求項２】
前記画像処理装置は、
スキャナと、
原稿を載置するための載置部と、
表示部と、
を備え、
前記制御部は、
前記読取手段によって前記識別情報が読み取られた場合に、前記載置部に原稿が載置されているか否かを判断する第１判断手段と、
前記第１判断手段によって前記載置部に原稿が載置されていないと判断された場合に、所定の情報を前記表示部に表示させる第１表示手段と、
を有し、
前記処理実行手段は、
前記第１判断手段によって前記載置部に原稿が載置されていると判断された場合に、前記読取手段によって読み取られた前記識別情報と関連付けて前記記憶部に記憶されている前記設定情報に従って、前記スキャナを走査することで前記原稿によってあらわされる画像をスキャンしスキャンデータを生成するスキャン処理を実行し、
前記第１判断手段によって前記載置部に原稿が載置されていないと判断された場合に、前記第１表示手段によって前記所定の情報が前記表示部に表示された後に、前記第１判断手段によって前記載置部に原稿が載置されていると判断されたことに応じて、当該設定情報に従って、前記スキャン処理を実行することを特徴とする請求項１に記載の画像処理装置。
【請求項３】
前記画像処理装置は、
前記載置部に原稿が載置されているか否かを検出するためのセンサを備え、
前記第１判断手段は、
前記センサの検出値に基づいて、前記載置部に原稿が載置されているか否かを判断することを特徴とする請求項２に記載の画像処理装置。
【請求項４】
前記所定の情報には、原稿を前記載置部に載置させるためのメッセージを含むことを特徴とする請求項２または３に記載の画像処理装置。
【請求項５】
前記画像処理装置は、
プリンタを備え、
前記記憶部には、前記設定情報と前記識別情報と関連付けて、前記プリンタにより画像を形成する印刷処理と前記スキャン処理とのうちいずれの画像処理を実行するかを示す情報を記憶し、
前記処理実行手段は、
前記読取手段によって読み取られた前記識別情報と関連付けて前記記憶部に記憶されている情報が、前記印刷処理を示す情報の場合に前記印刷処理を実行し、前記スキャン処理を示す情報の場合に前記スキャン処理を実行する。
ことを特徴とする請求項２乃至４の何れか１項に記載の画像処理装置。
【請求項６】
前記画像処理装置は、
記録用紙を載置する手差しトレイを備え、
前記制御部は、
前記読取手段によって前記識別情報が読み取られた場合に、前記識別情報と関連づけられて記憶されている設定情報に前記印刷処理を示す情報を含みかつ前記手差しトレイに載置された記録用紙を用いることを示す情報を含む場合に、前記手差しトレイに記録用紙が載置されているか否かを判断する第２判断手段と、
前記第２判断手段によって前記手差しトレイに記録用紙が載置されていないと判断された場合に、前記表示部に所定の情報を表示させる第２表示手段と、
を有し、
前記処理実行手段は、
前記第２判断手段によって前記手差しトレイに記録用紙が載置されていると判断された場合に、前記読取手段によって読み取られた前記識別情報と関連付けて前記記憶部に記憶されている前記設定情報に従って、前記印刷処理を実行し、
前記第２判断手段によって前記手差しトレイに記録用紙が載置されていないと判断された場合に、前記第２表示手段によって前記所定の情報が前記表示部に表示された後に、前記第２判断手段によって前記手差しトレイに記録用紙が載置されていると判断されたことに応じて、当該設定情報に従って前記印刷処理を実行することを特徴とする請求項５に記載の画像処理装置。
【請求項７】
前記制御部は、
画像処理を実行する際に必要な設定情報を前記記憶部に記憶させる記憶手段を備え、
前記記憶手段は、画像処理を実行する際に必要な設定情報が前記操作部を介した操作により入力された後、前記読取手段によって前記識別情報を読み取ることで、前記識別情報と前記設定情報とを対応付けて前記記憶部に記憶することを特徴とする請求項１乃至６の何れか１項に記載の画像処理装置。
【請求項８】
前記画像処理装置は、
前記設定情報は、前記読取手段によって前記識別情報が読み取られたことに応じた画像処理の実行開始条件として、前記操作部からの操作を必要とするか否かを示す情報を含み、
前記設定情報に前記操作部からの操作を必要とする旨の情報が含まれる場合に、前記読取手段によって前記識別情報が読み取られた後に、前記操作部から画像処理を実行させるための操作を受け付けたことに応じて、前記読取手段によって読み取られた前記識別情報に関連付けられた設定情報にしたがい画像処理を実行し、前記設定情報に前記操作部からの操作を必要としない旨の情報が含まれる場合に、前記読取手段によって前記識別情報が読み取られた後に、前記操作部から画像処理を実行させるための操作を受け付けることなく、前記読取手段によって読み取られた前記識別情報に関連付けられた設定情報にしたがい画像処理を実行することを特徴とする請求項１乃至７の何れか１項に記載の画像処理装置。
【請求項９】
前記読取部は、
前記記録媒体の接触、又は、接近したことに応じて、前記記録媒体に記録された識別情報を近接無線通信により読み取ることを特徴とする請求項１乃至８の何れか１項に記載の画像処理装置。
【手続補正２】
【補正対象書類名】明細書
【補正対象項目名】００２５
【補正方法】変更
【補正の内容】
【００２５】
ただし、ＡＤＦに原稿がセットされていないと、スキャン処理を実行することができないため、ＡＤＦに原稿がセットされているか否かが、検出センサ２０の検出値に基づいて判断される。また、ショートカット情報には、上述したように、ワンプッシュ設定に関する情報が含まれており、ワンプッシュ設定がＯＮに設定されている場合には、簡易な操作によりスキャン処理が開始するが、ワンプッシュ設定がＯＦＦに設定されている場合には、再確認のユーザ操作が必要となる。このため、ＡＤＦに原稿がセットされており、抽出されたショートカット情報に含まれるワンプッシュ設定がＯＮに設定されている場合に、スキャン処理が実行される。つまり、ＡＤＦに原稿がセットされており、抽出されたショートカット情報に含まれるワンプッシュ設定がＯＮに設定されている場合には、登録済みのカードをカードリーダ２２に接近、若しくは、接触させるだけで、スキャン処理が実行される。
【手続補正３】
【補正対象書類名】明細書
【補正対象項目名】００３０
【補正方法】変更
【補正の内容】
【００３０】
また、ショートカットボタン８８が操作された場合にも、カードがカードリーダ２２に接近、若しくは、接触させた場合と同様に、スキャン処理が実行される。つまり、ショートカットボタン８８が操作された場合には、操作されたショートカットボタン８８に関連付けられているショートカット情報が抽出される。次に、ＡＤＦに原稿がセットされているか否かが判定されるとともに、抽出されたショートカット情報に含まれるワンプッシュ
設定がＯＮに設定されているか否かが判定される。そして、ＡＤＦに原稿がセットされており、抽出されたショートカット情報に含まれるワンプッシュ設定がＯＮに設定されている場合には、スキャン処理が実行される。つまり、ＡＤＦに原稿がセットされており、抽出されたショートカット情報に含まれるワンプッシュ設定がＯＮに設定されている場合には、ショートカットボタン８８を操作するだけで、スキャン処理が実行される。このショートカットボタン８８の操作によるスキャン処理は、カードを利用したスキャン処理と同じであるため、説明を省略する。なお、ショートカットボタン８８の操作によるスキャン処理が実行される際には、図７に示す第１告知画面１００と同様の画面がディスプレイ１６に表示される。ただし、この画面では、第１告知画面１００中の「Ｓｃａｎ＃１１のカードが翳されました」というコメントが、「ショートカットボタン＃Ｘが操作されました」というコメントとなっている。